(57)【要約】【課題】従来にない新たな構成により利便性を高めた散水ノズルの提供。【解決手段】ホース収容型散水ノズル１００は、水形を変更しうるノズル部５００と、ホース収容部１１０と、ノズル部５００からホース収容部１１０にまで延びる接続部１３０と、把持部１５０とを備えておいる。ノズル部５００は、把持部１５０の少なくとも一部を構成している。このホース収容型散水ノズル１００は、重心Ｇを有している。ホース収容型散水ノズル１００は、吐水中心線ＷＣを水平とした状態において、ノズル部５００の鉛直方向下方に重心Ｇが位置する姿勢を採ることができる。好ましくは、ホース収容部１１０は、ホースリールである。好ましくは、ホースリール１１０は、片持ち構造で支持されている。【選択図】図３２
2018012055.tif 000002
【特許請求の範囲】
【請求項１】
水形を変更しうるノズル部と、ホース収容部と、前記ノズル部から前記ホース収容部にまで延びる接続部と、把持部とを備えており、
前記ノズル部が、前記把持部の少なくとも一部を構成しているホース収容型散水ノズル。
【請求項２】
重心を有しており、           
吐水中心線を水平とした状態において、前記ノズル部の鉛直方向下方に前記重心が位置する姿勢を採ることができる請求項１に記載のホース収容型散水ノズル。
【請求項３】
前記ホース収容部がホースリールである請求項１又は２に記載のホース収容型散水ノズル。
【請求項４】
前記ホースリールが片持ち構造で支持されている請求項３に記載のホース収容型散水ノズル。
【請求項５】
前記ホースリールがドラムを有しており、
前記ドラムが、軸部と円盤部とを有しており、
前記円盤部を、前記ドラムの回転が可能な状態で支持するドラム支持部が更に設けられている請求項３に記載のホース収容型散水ノズル。
【請求項６】
前記ノズル部が前記接続部に対して着脱可能である請求項１から５のいずれかに記載のホース収容型散水ノズル。
【請求項７】
請求項１から６のいずれかに記載のホース収容型散水ノズルと、元水栓装置と、前記ホース収容型散水ノズルと前記元水栓装置とを繋ぐホースとを有しており、
前記元水栓装置が、吐止水切替部を有しており、
前記ホース収容型散水ノズルが、水形を変更しうるノズル部を有しており、
前記ノズル部が、前記吐止水切替部における吐水と止水との切替を行う遠隔操作部を有している散水装置。
【発明の詳細な説明】
【技術分野】
【０００１】
本発明は、ホース収容型散水ノズルに関する。
【背景技術】
【０００２】
散水ノズルは、園芸、清掃、洗車など、様々な用途で用いられている。水形の切り替えが可能な散水ノズルが知られている。
【０００３】
実用新案登録第３０７４９２０号公報は、「散水ノズルとフレーム一体型ホースリール」を開示する。
【先行技術文献】
【特許文献】
【０００４】
【特許文献１】実用新案登録第３０７４９２０号公報
【発明の概要】
【発明が解決しようとする課題】
【０００５】
上記文献に記載の散水ノズルには、操作性等の点で改良の余地がある。本発明の目的は、従来にない新たな構成により利便性を高めた散水ノズルの提供にある。
【課題を解決するための手段】
【０００６】
好ましいホース収容型散水ノズルは、水形を変更しうるノズル部と、ホース収容部と、前記ノズル部から前記ホース収容部にまで延びる接続部と、把持部とを備えている。前記ノズル部が、前記把持部の少なくとも一部を構成している。
【０００７】
好ましくは、ホース収容型散水ノズルは、重心を有している。好ましくは、ホース収容型散水ノズルは、吐水中心線を水平とした状態において、前記ノズル部の鉛直方向下方に前記重心が位置する姿勢を採ることができる。
【０００８】
好ましくは、前記ホース収容部がホースリールである。
【０００９】
好ましくは、前記ホースリールが片持ち構造で支持されている。
【００１０】
好ましくは、前記ホースリールがドラムを有している。好ましくは、前記ドラムが、軸部と円盤部とを有している。好ましくは、前記円盤部を、前記ドラムの回転が可能な状態で支持するドラム支持部が更に設けられている。
【００１１】
好ましくは、前記ノズル部が前記接続部に対して着脱可能である。
【００１２】
好ましい散水装置は、前記ホース収容型散水ノズルと、元水栓装置と、前記ホース収容型散水ノズルと前記元水栓装置とを繋ぐホースとを有している。前記元水栓装置が、吐止水切替部を有している。前記ホース収容型散水ノズルが、水形を変更しうるノズル部を有している。前記ノズル部は、前記吐止水切替部における吐水と止水との切替を行う遠隔操作部を有している。
【発明の効果】
【００１３】
従来にない新たな構成により、利便性の高い散水ノズルが提供されうる。
【図面の簡単な説明】
【００１４】
【図１】図１は、第１実施形態に係るホース収容型散水ノズルの斜視図である。
【図２】図２は、図１のホース収容型散水ノズルを上方から見た平面図である。
【図３】図３は、図１のホース収容型散水ノズルの正面図である。
【図４】図４は、図１のホース収容型散水ノズルの右側面図である。
【図５】図５は、図１のホース収容型散水ノズルの左側面図である。
【図６】図６は、図４のＦ６−Ｆ６線に沿った断面図である。
【図７】図７は、図２のＦ７−Ｆ７線に沿った断面図である。
【図８】図８は、第２実施形態に係るホース収容型散水ノズルの斜視図である。
【図９】図９は、図８のホース収容型散水ノズルを上方から見た平面図である。
【図１０】図１０は、図８のホース収容型散水ノズルの正面図である。
【図１１】図１１は、図８のホース収容型散水ノズルの右側面図である。
【図１２】図１２は、図８のホース収容型散水ノズルの左側面図である。
【図１３】図１３は、図９のＦ１３−Ｆ１３線に沿った断面図である。
【図１４】図１４は、第３実施形態に係るホース収容型散水ノズルの斜視図である。
【図１５】図１５は、図１４のホース収容型散水ノズルを上方から見た平面図である。
【図１６】図１６は、図１４のホース収容型散水ノズルの正面図である。
【図１７】図１７は、図１４のホース収容型散水ノズルの右側面図である。
【図１８】図１８は、図１４のホース収容型散水ノズルの左側面図である。
【図１９】図１９は、図１７のＦ１９−Ｆ１９線に沿った断面図である。
【図２０】図２０は、図１５のＦ２０−Ｆ２０線に沿った断面図である。
【図２１】図２１は、ホース収容型散水ノズルの一部であるノズル部の斜視図である。
【図２２】図２２は、図２１のノズル部を上方から見た平面図である。
【図２３】図２３は、図２１のノズル部を下方から見た底面図である。
【図２４】図２４は、図２１のノズル部の右側面図である。
【図２５】図２５は、図２２のＦ２５−Ｆ２５線に沿った断面図（部分断面図）である。
【図２６】図２６は、図２２のＦ２６−Ｆ２６線に沿った断面図（部分断面図）である。
【図２７】図２７は、回転部の回転に伴う状態の変化を説明するための図である。図２７（ａ）は第１状態Ｃ１における平面図であり、図２７（ｂ）は第１状態Ｃ１における断面図であり、図２７（ｃ）は第２状態Ｃ２における平面図であり、図２７（ｄ）は第２状態Ｃ２における断面図である。
【図２８】図２８は、図１のホース収容型散水ノズルを備えた散水装置の斜視図である。
【図２９】図２９は、図２８の散水装置における、無線操作に関するブロック図である。
【図３０】図３０（ａ）、図３０（ｂ）、図３０（ｃ）及び図３０（ｄ）は、折りたたみホースの断面形状の変化を示す図である。
【図３１】図３１（ａ）は一般的なホースの断面を示し、図３１（ｂ）、図３１（ｃ）及び図３１（ｄ）のそれぞれは偏平ホースの断面を示す。
【図３２】図３２は、図１のホース収容型散水ノズルの使用状態の一例を示す。
【発明を実施するための形態】
【００１５】
以下、適宜図面が参照されつつ、好ましい実施形態に基づいて本発明が詳細に説明される。
【００１６】
本願において、「吐水中心線」との文言が定義される。吐水中心線は、吐水の水形の中心線である。例えば、ストレート水形の場合、当該水形の中心線が吐水中心線である。例えばシャワー水形の場合、当該水形（円錐形）の中心線が吐水中心線である。各図面には、吐水中心線ＷＣが一点鎖線で示されている。この吐水中心線の方向が、前後方向である。
【００１７】
なお、水形によって中心線が変化する場合、最も吐水が散らばらない水形（例えばストレート水形）に基づいて、吐水中心線が決定されうる。また吐水中心線の決定では、重力による吐水方向の変化は無視される。
【００１８】
本願において、「基準姿勢」との文言が定義される。基準姿勢とは、前記吐水中心線が水平であり、且つホースリールの回転軸線Ｚ２（後述）が水平である状態を意味する。好ましくは、この基準姿勢では、回転部の回転軸線Ｚ１（後述）が水平である。特に説明しない限り、この基準姿勢に基づいて、上方（上側）及び下方（下側）との文言が用いられる。すなわち、特に説明しない限り、本願にいう上下方向は、前記基準姿勢における鉛直方向である。
【００１９】
図１は、第１実施形態であるホース収容型散水ノズル１００の斜視図である。図２は、ホース収容型散水ノズル１００を上方から見た平面図である。図３は、ホース収容型散水ノズル１００の正面図である。図４は、ホース収容型散水ノズル１００の右側面図である。図５は、ホース収容型散水ノズル１００の左側面図である。図６は、図４のＦ６−Ｆ６線に沿った断面図である。図７は、図２のＦ７−Ｆ７線に沿った断面図である。
【００２０】
ホース収容型散水ノズル１００は、ノズル部５００と、ホース収容部１１０と、ノズル部５００からホース収容部１１０にまで延びる接続部１３０と、把持部１５０とを備えている。接続部１３０を介して、ノズル部５００はホース収容部１１０に固定されている。後述の通り、ノズル部５００は、接続部１３０に、取り外し可能に取り付けられている。後述の通り、ノズル部５００は、水形を変更しうる。
【００２１】
接続部１３０は、ホース収容型散水ノズル１００の構造部分（フレーム部分）を構成している。接続部１３０は、ホースのような変形容易性を有さない。接続部１３０は、ノズル部５００のみが把持されたホース収容型散水ノズル１００においてその形状を維持しうる剛性を有する。ホース収容型散水ノズル１００は、把持部１５０のみの把持によりその全体が支持されうる。
【００２２】
ノズル部５００は、ホース収容型散水ノズル１００の把持部１５０を兼ねている。ノズル部５００は、把持部１５０の少なくとも一部を構成している。本実施形態では、ノズル部５００は、把持部１５０の一部を構成している。把持部１５０は、円筒外面を有している。ホース収容型散水ノズル１００は、ノズル部５００のみを持って操作することができる。ホース収容型散水ノズル１００は、片手で操作することができる。ノズル部５００を持つ片手で、水形を変えることができる。ホース収容型散水ノズル１００を片手で持ちながら、その片手で水形を変えることができる。ノズル部５００は、接続部１３０に対して着脱可能である。ノズル部５００の詳細については、後述される。
【００２３】
本実施形態において、ホース収容部１１０は、ホースリールである。ホースリール１１０は、ドラム１１２と、ハンドル１１４と、給水口１１６と、導水路１１８とを有する（図６参照）。
【００２４】
なお、ホース収容部としては、ホースをリールに巻き取る構成のホースリール、ホースを引っ掛けて保管するホースハンガー、及び、ホースを巻き取ることなく容器に収納するホース収容器などが挙げられる。ホースの収納・取り出し性の観点からはホースリールが好ましい。一方、特に折りたたみホース及び伸縮式ホースのように、通水時に大きく変形するホースの収納の観点からは、ホースハンガーが好ましい。ホース収納部は箱状であってもよい。折りたたみホース及び伸縮式ホースの詳細については、後述される。
【００２５】
図６が示すように、ドラム１１２は、軸部１２０と、円盤部１２２とを有する。軸部１２０は、円盤部１２２の中心に位置する。軸部１２０と円盤部１２２とは、同軸である。ハンドル１１４は、円盤部１２２の外面に取り付けられている。軸部１２０にホースが巻き付けられる。
【００２６】
通常のホースリールでは、ドラムの軸部の両端部のそれぞれに円盤部が設けられる。しかし、本実施形態では、軸部１２０の一端部のみに円盤部１２２が設けられている。軸部１２０の他端部には円盤部１２２が設けられていない。軸部１２０の他端部は、接続部１３０によって回転可能に支持されている（図６参照）。この支持には軸受ＢＲ１が用いられている。
【００２７】
このように、軸部１２０は、片持ち構造で支持されている。すなわち、ホースリール１１０は、片持ち構造で支持されている。この片持ち構造のホースリール１１０は、コンパクトである。
【００２８】
接続部１３０は、ドラム支持部１３２と、円盤対抗面１３４と、曲がり延在部１３６と、導水路１３８とを有する。ドラム支持部１３２は、軸部１２０の上記他端部を回転可能に支持している。円盤対抗面１３４は、円環状の平面を形成している。円盤対抗面１３４は、円盤部１２２の内面に対向する面を形成している。軸部１２０に巻き付けられたホースは、円盤部１２２と円盤対抗面１３４との間に収容される。曲がり延在部１３６は、ドラム支持部１３２から曲がって延在し、ノズル部５００に至る。曲がり延在部１３６は、ノズル部５００の位置及び姿勢が適切となるように、曲げられている。曲がり延在部１３６の端部には、ノズル取付部１４０が設けられている。導水路１３８の一端（上流側）は、ホースリール１１０の導水路１１８に繋がっている。導水路１３８は、接続部１３０を貫通している。導水路１３８の他端（下流側）は、ノズル部５００の水路に繋がっている。
【００２９】
図８は、第２実施形態であるホース収容型散水ノズル２００の斜視図である。図９は、ホース収容型散水ノズル２００を上方から見た平面図である。図１０は、ホース収容型散水ノズル２００の正面図である。図１１は、ホース収容型散水ノズル２００の右側面図である。図１２は、ホース収容型散水ノズル２００の左側面図である。図１３は、図９のＦ１３−Ｆ１３線に沿った断面図である。
【００３０】
ホース収容型散水ノズル２００は、ノズル部５００と、ホース収容部２１０と、第１把持部２３０と、第２把持部２５０とを備えている。ノズル部５００は、ノズル部５００は、ホース収容部２１０に、取り外し可能に取り付けられている。ノズル部５００は、ホース収容部２１０に直結されている。
【００３１】
ノズル部５００は、ホース収容型散水ノズル２００の把持部（第２把持部）２５０を兼ねている。ノズル部５００は、把持部２３０，２５０のうちの一部を構成している。ホース収容型散水ノズル２００は、ノズル部５００のみを持って操作することができる。またホース収容型散水ノズル２００では、第１把持部２３０を持ちながらノズル部５００の操作を行うことができる。ノズル部５００を操作することで、水形を変えることができる。ノズル部５００の詳細については、後述される。
【００３２】
本実施形態において、ホース収容部２１０は、ホースリールである。ホースリール２１０は、ドラム２１２と、ハンドル２１４と、給水口２１６と、導水路２１８と、内側軸部２１９とを有する（図１３参照）。導水路２１８は、内側軸部２１９の内部に形成されている。導水路２１８と内側軸部２１９とは同軸である。
【００３３】
図１３が示すように、ドラム２１２は、軸部２２０と、円盤部２２２とを有する。軸部２２０は、円盤部２２２の中心に位置する。軸部２２０と円盤部２２２とは、同軸である。ハンドル２１４は、円盤部２２２の外面に取り付けられている。ハンドル２１４を操作することで、軸部２２０が回転する。軸部２２０にホースが巻き付けられる。
【００３４】
軸部２２０は、内側軸部２１９の外側に配置されている。軸部２２０は、内側軸部２１９に回転可能に支持されている。軸部２２０と内側軸部２１９とは同軸である。吐水中心線ＷＣは、軸部２２０の中心軸線に一致している。軸部２２０は、ノズル部５００と同軸である。軸部２２０の前方にノズル部５００が配置されている。
【００３５】
本実施形態のドラム２１２でも、軸部２２０の一端部のみに円盤部２２２が設けられている。軸部２２０の他端部には円盤部２２２が設けられていない。軸部２２０の他端部は、内側軸部２１９によって回転可能に支持されている（図１３参照）。この支持には軸受ＢＲ１が用いられている。
【００３６】
このように、軸部２２０は、片持ち構造で支持されている。すなわち、ホースリール２１０は、片持ち構造で支持されている。この片持ち構造のホースリール２１０は、コンパクトである。
【００３７】
第１把持部２３０は内側軸部２１９と一体である。第１把持部２３０は、把持部本体２３２と、連結部２３４とを有する。把持部本体２３２は、前後方向に延びている。連結部２３４は、把持部本体２３２と内側軸部２１９とを繋いでいる。把持部本体２３２と連結部２３４との間に空間があり、この空間にホースが収容される。連結部２３４の後面２３６は、円盤部２２２と対向している。軸部２２０に巻き付けられたホースは、円盤部２２２と連結部２３４（後面２３６）との間に収容される。この連結部２３４は、ホースの整列に寄与する。
【００３８】
ホース収容型散水ノズル２００では、ホースリール２１０の前方にノズル部５００が取り付けられている。図１３が示すように、導水路２１８の後端に、給水口２１６から延びる水路２１７が繋がっている。導水路２１８の前端に、ノズル部５００の主水路ＷＴ１（後述）が繋がっている。水路２１７、導水路２１８及び主水路ＷＴ１は直線（吐水中心線ＷＣ）に沿って延びている。
【００３９】
図１４は、第３実施形態であるホース収容型散水ノズル３００の斜視図である。図１５は、ホース収容型散水ノズル３００を上方から見た平面図である。図１６は、ホース収容型散水ノズル３００の正面図である。図１７は、ホース収容型散水ノズル３００の右側面図である。図１８は、ホース収容型散水ノズル３００の左側面図である。図１９は、図１７のＦ１９−Ｆ１９線に沿った断面図である。図２０は、図１５のＦ２０−Ｆ２０線に沿った断面図である。
【００４０】
ホース収容型散水ノズル３００は、ノズル部５００と、ホース収容部３１０と、ノズル部５００からホース収容部３１０にまで延びる接続部３３０と、把持部３５０とを備えている。接続部３３０を介して、ノズル部５００はホース収容部３１０に固定されている。ノズル部５００は、接続部３３０に、取り外し可能に取り付けられている。
【００４１】
本実施形態において、ホース収容部３１０は、ホースリールである。ホースリール３１０は、ドラム３１２と、ハンドル３１４と、ホース取付部３１６（図２０）とを有する。
【００４２】
図１９が示すように、ドラム３１２は、軸部３２０と、第１円盤部３２２と、第２円盤部３２４とを有する。第１円盤部３２２と第２円盤部３２４とは、所定の間隔をおいて互いに対向している。軸部３２０は、第１円盤部３２２と第２円盤部３２４とを繋いでいる。軸部３２０は、第１円盤部３２２の中心と第２円盤部３２４の中心とを繋いでいる。軸部３２０は、第１円盤部３２２及び第２円盤部３２４と同軸である。軸部３２０にホースが巻き付けられる。第１円盤部３２２と第２円盤部３２４との間にホースが収容される。第１円盤部３２２には、ハンドル３１４が設けられている。ハンドル３１４を操作することで、ドラム３１２が回転する。この回転により、ホースが軸部３２０に巻き付く。
【００４３】
接続部３３０は、ドラム支持部３３２と、ノズル保持部３３４と、曲がり延在部３３６とを有する。ドラム支持部３３２は、円盤部３２２，３２４を、ドラム３１２の回転が可能な状態で支持している。ドラム支持部３３２は、ドラム３１２の外周部をスライド可能に支持している。この支持構造については、後述される。
【００４４】
曲がり延在部３３６は、ドラム支持部３３２から曲がって延在し、ノズル保持部３３４に至る。曲がり延在部３３６は、ノズル保持部３３４に装着されたノズル部５００の位置及び姿勢が適切となるように、曲げられている。ノズル保持部３３４は、ノズル部５００の把持部を外側から保持しうる円筒内面３３８を有する（図１９参照）。ノズル部５００は、ノズル保持部３３４に、取り外し可能に取り付けられている。
【００４５】
本実施形態では、ノズル保持部３３４及びその内側に位置するノズル部５００が、把持部３５０を構成している。ノズル部５００は、把持部３５０の一部を構成している。
【００４６】
ドラム３１２は、円盤部（第１円盤部３２２及び第２円盤部３２４）において、ドラム３１２の回転が可能な状態で支持されている。このドラム３１２は、円盤部３２２，３２４の外周において支持されている。
【００４７】
ドラム３１２の外周支持構造について説明する。図１９が示すように、第１円盤部３２２は、周方向（ドラム３１２の周方向）に沿って形成されたスライド溝ＳＬ１を有する。同様に、第２円盤部３２４は、周方向（ドラム３１２の周方向）に沿って形成されたスライド溝ＳＬ１を有する。これらのスライド溝ＳＬ１は、ドラム３１２の軸方向内側に向かって開放されている。一方、ノズル保持部３３４は、周方向（ドラム３１２の周方向）に沿って形成されたスライド凸部ＳＬ２を有する。スライド凸部ＳＬ２は、軸方向（ドラム３１２の軸方向）の外側に向かって突出している。
【００４８】
図１９の拡大部が示すように、スライド溝ＳＬ１にスライド凸部ＳＬ２が入り込んでいる。スライド溝ＳＬ１とスライド凸部ＳＬ２とにより、周方向に沿ったスライド係合構造が形成されている。スライド溝ＳＬ１においてスライド凸部ＳＬ２がスライド移動しうる。このスライド移動により、ドラム３１２全体が回転する。このように、ドラム３１２の外周部は、ドラム３１２の回転が可能な状態で支持されている。ドラム３１２は、ドラム支持部３３２により、ドラム３１２の回転が可能な状態で支持されている。ドラム３１２の外周部は、周方向のスライドが可能な状態で支持されており、このスライドによりドラム３１２が回転する。ドラム３１２の円盤部３２２，３２４は、周方向に沿ったスライド係合構造により、ドラム３１２の回転が可能な状態で支持されている。
【００４９】
通常のドラムでは、その軸部が回転可能に支持される。しかし、ドラム３１２の軸部３２０は、支持されていない。上述の通り、ドラム３１２では、その外周部が、ドラム３１２の回転が可能な状態で支持されている。ドラム３１２では、軸部３２０を支持する必要がない。このため、ホースリール３１０の小型化が達成されている。この外周支持構造に起因して、ホースリール３１０は、小型でありながら、ホースの収納スペースは大きい。この外周支持構造は、ホース収容型散水ノズル３００の小型化に寄与している。
【００５０】
なお、ホース収容型散水ノズル３００の典型的な使用方法では、先ず、ホースリール３１０に巻き取られているホース（図示されず）が全て引き出される。次に、ホース取付部３１６に取り付けられていたホース端部が取り外され、このホース端部がノズル部５００の給水口５５０に取り付けられる（図１４参照）。
【００５１】
ホース収容型散水ノズル３００は、把持部３５０のみを持って操作することができる。ホース収容型散水ノズル３００は、片手で操作することができる。把持部３５０を持つ片手でノズル部５００を操作し、水形を変えることができる。
【００５２】
図２において両矢印Ｗ１で示されるのは、ホース収容型散水ノズルの全幅である。操作性の観点から、全幅Ｗ１は、２５０ｍｍ以下が好ましく、２２０ｍｍ以下がより好ましく、２００ｍｍ以下が更に好ましい。収容できるホースの長さを考慮すると、全幅Ｗ１は、１００ｍｍ以上が好ましく、１２０ｍｍ以上がより好ましく、１５０ｍｍ以上が更に好ましい。この全幅Ｗ１は、前後方向に対して垂直であり且つ上下方向に垂直な方向に沿って測定される。
【００５３】
図２において両矢印Ｗ２で示されるのは、ホース収容型散水ノズルの全長である。操作性の観点から、全長Ｗ２は、３５０ｍｍ以下が好ましく、３００ｍｍ以下がより好ましく、２７０ｍｍ以下が更に好ましい。収容できるホースの長さを考慮すると、全長Ｗ２は、１２０ｍｍ以上が好ましく、１５０ｍｍ以上がより好ましく、２００ｍｍ以上が更に好ましい。全長Ｗ２は、前後方向に沿って測定される。
【００５４】
図３において両矢印Ｗ３で示されるのは、ホース収容型散水ノズルの全高である。操作性の観点から、全高Ｗ３は、３００ｍｍ以下が好ましく、２７０ｍｍ以下がより好ましく、２５０ｍｍ以下が更に好ましい。収容できるホースの長さを考慮すると、全高Ｗ３は、１００ｍｍ以上が好ましく、１２０ｍｍ以上がより好ましく、１５０ｍｍ以上が更に好ましい。全高Ｗ３は、上下方向に沿って測定される。
【００５５】
図３において両矢印Ｗ４で示されるのは、把持部１５０とドラム１２２との隙間である。装置小型化の観点から、隙間Ｗ４は、５０ｍｍ以下が好ましく、４０ｍｍ以下がより好ましく、３０ｍｍ以下が更に好ましい。握りやすさの観点から、隙間Ｗ４は、１０ｍｍ以上が好ましく、１５ｍｍ以上がより好ましく、２５ｍｍ以上が更に好ましい。隙間Ｗ４は、上下方向に沿って測定される。
【００５６】
なお、水路の切替等に伴ってノズル部が伸縮する場合、上記Ｗ１、Ｗ２及びＷ３は、ノズル部５００が最も収縮した状態（以下、基準状態ともいう）で測定される。
【００５７】
ホースリール１１０は、小型である。ドラム１１２は、小型である。ホース収容型散水ノズル１００の操作性の観点から、ドラム１１２（円盤部１２２）の直径は、３００ｍｍ以下が好ましく、２７０ｍｍ以下がより好ましく、２５０ｍｍ以下が更に好ましい。収容されるホースの長さを考慮すると、ドラム１１２（円盤部１２２）の直径は、１００ｍｍ以上が好ましく、１２０ｍｍ以上がより好ましく、１４０ｍｍ以上が更に好ましい。
【００５８】
図３において両矢印ＲＷで示されているのは、ドラム１１２のホース収容幅である。ドラム１１２の場合、この幅ＲＷは、円盤部１２２と円盤対抗面１３４との間の隙間の距離（最小距離）である。この幅ＲＷは、ドラム１１２の回転軸線Ｚ２の方向に沿って測定される。図３において両矢印ＲＨで示されているのは、ドラム１１２のホース収容高さである。ドラム１１２の場合、この高さＲＨは、軸部１２０の外周面からドラム１１２の外周縁までの距離である。この高さＲＨは、回転軸線Ｚ２に垂直な方向に沿って測定される。
【００５９】
ホースリールを小型化しつつ、収容されるホースの長さを確保する観点から、ＲＨ／ＲＷは、１．０以下が好ましく、０．９以下がより好ましく、０．８以下が更に好ましい。ＲＷが過大である場合、巻き取られるホースの位置が左右方向に移動し、ホース収容型散水ノズルの安定性が低下しやすい。片手で持つ場合の安定性を考慮すると、ＲＨ／ＲＷは、０．２以上が好ましく、０．３以上がより好ましく、０．４以上が更に好ましい。
【００６０】
図３において両矢印ＺＨで示されているのは、軸部１２０の外周面と回転軸線Ｚ２との間の距離（最大距離）である。本実施形態では、距離ＺＨは、軸部１２０の半径である。軸部半径ＺＨは、回転軸線Ｚ２に垂直な方向に沿って測定される。巻き取られるホースの長さを増やす観点から、軸部半径ＺＨは、５０ｍｍ以下が好ましく、４５ｍｍ以下がより好ましく、４０ｍｍ以下が更に好ましい。軸部半径ＺＨが過小であると、巻き取りの開始時において巻き取り半径が過度に小さくなる。このため、巻き取りに大きな力が必要となり、巻き取りにくい。この観点から、軸部半径ＺＨは、１０ｍｍ以上が好ましく、１５ｍｍ以上がより好ましく、２０ｍｍ以上が更に好ましい。
【００６１】
操作性の観点から、ホース収容型散水ノズルの重量は、１５００ｇ以下が好ましく、１２００ｇ以下がより好ましく、１０００ｇ以下が更に好ましい。収容できるホースの長さを考慮すると、ホース収容部をある程度以上の大きさとするのが好ましい。この観点から、ホース収容型散水ノズルの重量は、４００ｇ以上が好ましく、５００ｇ以上がより好ましく、６００ｇ以上が更に好ましい。
【００６２】
［ノズル部］
次に、ノズル部の詳細について説明する。
【００６３】
図２１は、ホース収容型散水ノズル１００，２００及び３００に用いられているノズル部５００の斜視図である。図２２は、ノズル部５００を上方から見た平面図である。図２３は、ノズル部５００を下方から見た底面図である。図２４は、ノズル部５００の側面図である。図２５は、図２２のＦ２５−Ｆ２５線に沿った断面図である。図２６は、図２２のＦ２６−Ｆ２６線に沿った断面図である。
【００６４】
ノズル部５００は、吐出部５０２と、把持部５０４と、回転操作が可能な回転部５０６と、回転部５０６の回転に基づき吐出孔を切り替えうる水形切替機構とを有している。把持部５０４はノズル部５００の把持部であり、前述の把持部１５０はホース収容型散水ノズル１００の把持部である。ホース収容型散水ノズル１００では、吐出部５０２が把持部１５０を兼ねている。
【００６５】
更に、ノズル部５００は、遠隔操作部ＲＣ１を有する。遠隔操作部ＲＣ１は、第１ボタンｂ１及び第２ボタンｂ２を有する。この遠隔操作部ＲＣ１の詳細については、後述する。
【００６６】
前述の通り、ノズル部５００は、ホース収容型散水ノズル１００，２００又は３００の一部として用いられ得る。加えて、ノズル部５００は、ホース収容型散水ノズル１００から取り外して、単独で使用することもできる。
【００６７】
吐出部５０２は、その側面に円筒外面５０８を有する。吐出部５０２は、その前面に吐水スクリーン５１０を有する。吐水スクリーン５１０は、多数の吐出孔を有する。吐出孔の選択により複数の水形が可能である。なお、水形の種類として、キリ、ストレート、ジョロ、シャワー等が挙げられる。水形は、少なくともストレート水形とシャワー水形とを含むのが好ましい。
【００６８】
ノズル部５００は、小型である。ノズル部５００は、片手で容易に持つことができる大きさである。ノズル部５００は、ホース収容型散水ノズル１００の把持部１５０を兼ねている。ノズル部５００が小型であると、ホース収容型散水ノズル１００を片手で持ちやすい。片手での持ちやすさの観点から、ノズル部５００の全長Ｌ１（図２２参照）は、２００ｍｍ以下が好ましく、１７０ｍｍ以下がより好ましく、１５０ｍｍ以下が更に好ましい。片手での持ちやすさの観点から、ノズル部５００の全長Ｌ１は、５０ｍｍ以上が好ましく、７０ｍｍ以上がより好ましく、９０ｍｍ以上が更に好ましい。全長Ｌ１は、前後方向に沿って測定される。水路の切替等に伴ってノズル部５００が伸縮する場合、全長Ｌ１は、前記基準状態で測定される。
【００６９】
把持部５０４は、片手で持つことができる大きさを有する。ホース収容型散水ノズル１００から取り外されたノズル部５００では、この把持部５０４のみを片手で持って散水することができる。
【００７０】
把持部５０４は、円筒外面５２０を有する。円筒外面５２０は、吐出部５０２の円筒外面５０８と同軸である。円筒外面５２０は、一定の外径を有している。円筒外面５２０は、把持部５０４の少なくとも一部を構成している。円筒外面５２０は、把持部５０４の全部であってもよい。片手での持ちやすさの観点から、この円筒外面５２０の半径は、５０ｍｍ以下が好ましく、４５ｍｍ以下がより好ましく、４０ｍｍ以下が更に好ましい。この半径が小さすぎても、片手での持ちやすさが低下する。この観点から、この円筒外面５２０の半径は、２０ｍｍ以上が好ましく、２５ｍｍ以上がより好ましく、３０ｍｍ以上が更に好ましい。
【００７１】
片手での持ちやすさの観点から、円筒外面５２０の長さＬ２（図２２参照）は、１５０ｍｍ以下が好ましく、１４０ｍｍ以下がより好ましく、１３０ｍｍ以下が更に好ましい。片手での持ちやすさの観点から、長さＬ２は、５０ｍｍ以上が好ましく、７０ｍｍ以上がより好ましく、９０ｍｍ以上が更に好ましい。長さＬ２は、前後方向に沿って測定される。
【００７２】
なお、円筒外面５２０の中心軸線は、前後方向に延びている。円筒外面５２０の中心軸線は、吐水中心線ＷＣに一致している。この円筒外面５２０は片手で持ちやすく、意図する方向に吐水することが容易である。
【００７３】
円筒外面５２０は、その周方向の一部に、当該円筒外面よりも凹んでいる凹部を有していても良い。当該凹部は、突出していないので、円筒外面５２０の持ちやすさを阻害しない。本実施形態では、遠隔操作部ＲＣ１によってこの凹部が構成されている。なお、円筒外面５２０は、その周方向の一部に、当該円筒外面よりも突出している凸部を有していても良い。この凸部は滑りの防止に寄与しうる。
【００７４】
ノズル部５００は、仮想円筒収容部５２２を有する。仮想円筒収容部５２２とは、例えば、３５ｍｍの半径を有する仮想円筒内に完全に収容されうる部分を意味する。仮想円筒収容部５２２は、片手で持つのに適した太さを有する。この仮想円筒収容部５２２により、片手での持ちやすさが向上しうる。このような仮想円筒を設定したのは、円筒外面５２０（円周面）を有さない場合であっても、片手で持つのに適した太さを有する場合があることを考慮したためである。なお、仮想円筒収容部５２２の半径は、前述では３５ｍｍに設定したが、上側係合部５２０の半径と同じ理由で、５０ｍｍ以下が好ましく、４５ｍｍ以下がより好ましく、４０ｍｍ以下が更に好ましい。この半径が小さすぎても、片手での持ちやすさが低下する。この観点から、この仮想円筒収容部５２２の半径は、２０ｍｍ以上が好ましく、２５ｍｍ以上がより好ましく、３０ｍｍ以上が更に好ましい。
【００７５】
仮想円筒収容部５２２は、回転部５０６を含んでいても良い。仮想円筒収容部５２２は、回転部５０６を含んでいなくても良い。好ましくは、仮想円筒収容部５２２は、把持部５０４の少なくとも一部を含む。より好ましくは、仮想円筒収容部５２２は、把持部５０４の全部を含む。
【００７６】
片手での持ちやすさの観点から、仮想円筒収容部５２２の前後方向長さは、１５０ｍｍ以下が好ましく、１４０ｍｍ以下がより好ましく、１３０ｍｍ以下が更に好ましい。片手での持ちやすさの観点から、仮想円筒収容部５２２の前後方向長さは、５０ｍｍ以上が好ましく、７０ｍｍ以上がより好ましく、９０ｍｍ以上が更に好ましい。
【００７７】
なお、この仮想円筒収容部は、ホース収容型散水ノズル１００の把持部１５０にも適用される。ノズル部５００の仮想円筒収容部５２２に関する記載の全てが、把持部１５０の仮想円筒収容部にも適用される。ホース収容型散水ノズル１００の把持部１５０における仮想円筒収容部の範囲が、図４における両矢印Ｋ４で示されている。
【００７８】
回転部５０６は、把持部５０４と吐出部５０２（吐水スクリーン５１０）との間に配置されている。回転部５０６は、操作部５３０を有する。操作部５３０は、円筒状である。操作部５３０の外面は、凹凸（スプライン）を有する円筒面である。この凹凸は、滑り止めに寄与する。
【００７９】
回転部５０６の一部は、外部に露出している。回転部５０６は、その一部のみが露出している。この露出した部分が、操作部５３０である。回転部５０６は、円筒外面５２０の前方に配置されている。回転部５０６は、円筒外面５２０に近い位置に配置されている。操作部５３０と円筒外面５２０との間の最短距離Ｌ３（図２２参照）は２．５ｍｍと小さい。また、操作部５３０と円筒外面５２０との間の最長距離Ｌ４（図２２参照）は２０．５ｍｍと小さい。このノズル部５００では、把持部５０４（把持部１５０）を把持する片手で、回転部５０６の回転操作が可能であるように構成されている。通常の使用形態では、回転部５０６は、把持部５０４（把持部１５０）を把持する片手の親指で操作される。
【００８０】
図２２が示すように、回転部５０６は、回転軸線Ｚ１を有する。この回転軸線Ｚ１の配向は、左右方向である。左右方向とは、前後方向に対して直角な方向である。基準姿勢にあるノズル部５００において、この左右方向は、使用者にとっての左右方向に一致する。回転軸線Ｚ１は、前後方向に配向していない。なお、回転軸線Ｚ１は、円筒外面５２０の中心軸線に交わっていない。回転軸線Ｚ１は、円筒外面５２０の中心軸線よりも上方に位置する。回転軸線Ｚ１は、吐水中心線ＷＣに交わっていない。回転軸線Ｚ１は、吐水中心線ＷＣよりも上方に位置する。
【００８１】
図２２が示すように、回転部５０６の回転軸線Ｚ１は、把持部５０４の前方に配置されている。回転軸線Ｚ１は、円筒外面５２０の前方に配置されている。回転軸線Ｚ１は、仮想円筒収容部５２２の前方に配置されている。
【００８２】
回転部５０６の操作性の観点から、操作部５３０と円筒外面５２０との間の最短距離Ｌ３（図２２参照）は、３０ｍｍ以下が好ましく、２０ｍｍ以下がより好ましく、１０ｍｍ以下が更に好ましい。この最短距離Ｌ３は０ｍｍであってもよい。最短距離Ｌ３は、前後方向に沿って測定される。またこの距離Ｌ３は、前記基準状態で測定される。
【００８３】
片手での操作性の観点から、操作部５３０（又は仮想円筒収容部５２２）と円筒外面５２０との間の最長距離Ｌ４（図２２参照）は、５０ｍｍ以下が好ましく、４０ｍｍ以下がより好ましく、３０ｍｍ以下が更に好ましい。操作部５３０の大きさを考慮すると、この最長距離Ｌ４は、１０ｍｍ以上が好ましく、１５ｍｍ以上がより好ましく、２０ｍｍ以上が更に好ましい。最長距離Ｌ４は、前後方向に沿って測定される。またこの距離Ｌ４は、前記基準状態で測定される。
【００８４】
片手での操作性の観点から、操作部５３０の前後方向長さＬ５（図２２参照）は、１０ｍｍ以上が好ましく、１５ｍｍ以上がより好ましく、２０ｍｍ以上が更に好ましい。操作性の観点から、長さＬ５は、５０ｍｍ以下が好ましく、４０ｍｍ以下がより好ましく、３０ｍｍ以下が更に好ましい。
【００８５】
片手での操作性の観点から、回転部５０６の操作部５３０と仮想円筒収容部５２２との間の最短距離（図示省略）は、３０ｍｍ以下が好ましく、２０ｍｍ以下がより好ましく、１０ｍｍ以下が更に好ましい。この距離は０ｍｍであってもよい。操作部５３０の一部又は全部が、仮想円筒収容部５２２に含まれていてもよい。この距離は、前後方向に沿って測定される。
【００８６】
片手での操作性の観点から、操作部５３０と吐水中心線ＷＣとの最大距離Ｌ６（図２４参照）は、１０ｍｍ以上が好ましく、１５ｍｍ以上がより好ましく、２０ｍｍ以上が更に好ましい。片手での操作性の観点から、距離Ｌ６は、５０ｍｍ以下が好ましく、４０ｍｍ以下がより好ましく、３５ｍｍ以下が更に好ましい。距離Ｌ６は、上下方向に沿って測定される。
【００８７】
片手での操作性の観点から、操作部５３０の最大吐出高さＬ７（図２４参照）は、０ｍｍ以上が好ましく、５ｍｍ以上がより好ましく、８ｍｍ以上が更に好ましい。片手での操作性の観点から、高さＬ７は、２０ｍｍ以下が好ましく、１５ｍｍ以下がより好ましく、１２ｍｍ以下が更に好ましい。距離Ｌ７は、上下方向に沿って測定される。高さＬ７は、後方から見た操作部５３０の高さである。
【００８８】
ノズル部５００は、操作部５３０の裏側（下側）に、非回転外面５２４を有する。非回転外面５２４は、回転部５０６の回転に伴い回転しない部分である。回転部５０６を回転操作する際に、非回転外面５２４を支持することができる。例えば、回転部５０６を持ち手の親指で操作しながら、非回転外面５２４を当該持ち手の人差し指で支持することができる。非回転外面５２４は、回転部５０６の操作性を高める。
【００８９】
なお、操作部５３０の裏側とは、図２２のような平面視において、操作部５３０に重なる部分を意味する。この平面視は、基準姿勢にあるノズル部５００を上方から見た平面図である。操作部５３０が移動する場合、全移動範囲における操作部５３０の面積により、操作部５３０の裏側が決定される。
【００９０】
図２３が示すように、本実施形態では、非回転外面５２４は、円筒外面５２０と同軸の円筒面である。また、非回転外面５２４は、円筒外面５２０と同じ半径を有する円筒面である。このため、非回転外面５２４を支持することは容易であり、回転部５０６の操作性が高まる。
【００９１】
図２５及び図２６が示すように、ノズル部５００は、その内部に主水路ＷＴ１が形成された主管部５３２と、スリーブＳＶ１と、第１水路Ｐ１と第２水路Ｐ２とを有する。主水路ＷＴ１及び主管部５３２は、ノズル部５００の中心部を前後方向に延びている。主管部５３２の中心軸線は、吐水中心線ＷＣに一致している。主水路ＷＴ１の中心軸線は、吐水中心線ＷＣに一致している。主水路ＷＴ１には、ホース等からの水が供給される。スリーブＳＶ１の外面の一部は、前述した非回転外面５２４である。スリーブＳＶ１は、回転部５０６の中心軸を支持している。スリーブＳＶ１は、回転部５０６を回動可能に支持している。
【００９２】
図２５及び図２６が示すように、回転部５０６は、ギアＧ１を有する。ギアＧ１は、回転部５０６と同軸である。ギアＧ１は、回転部５０６と共に（一体で）回転する。ギアＧ１は、ピニオンギアである。一方、固定部側（主管部５３２側）には、ラックギアＧ２が設けられている。ピニオンギアＧ１とラックギアＧ２とは噛み合っている。
【００９３】
図２７は、回転部５０６の回転にともなう変化を示す図である。図２７では、第１状態Ｃ１及び第２状態Ｃ２が示されている。図２７（ａ）は、第１状態Ｃ１におけるノズル部５００の平面図である。図２７（ｂ）は、第１状態Ｃ１におけるノズル部５００の断面図である。図２７（ｂ）は、図２７（ａ）のＢ−Ｂ線に沿った断面図である。図２７（ｃ）は、第２状態Ｃ２におけるノズル部５００の平面図である。図２７（ｄ）は、第２状態Ｃ２におけるノズル部５００の断面図である。図２７（ｄ）は、図２７（ｃ）のＤ−Ｄ線に沿った断面図である。
【００９４】
回転部５０６が回転されると、ピニオンギアＧ１が回転する。ピニオンギアＧ１はラックギアＧ２の上を転がりながら移動する。ピニオンギアＧ１と共に、スリーブＳＶ１も移動する。この移動により、この相対移動により、主水路ＷＴ１の排出口Ｅ１がどの水路に連通するかが選択される。第１状態Ｃ１では、第１水路Ｐ１が選択されている。第１状態Ｃ１では、第１水路Ｐ１に繋がる吐出孔から水が吐出される。第２状態Ｃ２では、第２水路Ｐ２が選択されている。第２状態Ｃ２では、第２水路Ｐ２に繋がる吐出孔から水が吐出される。
【００９５】
ノズル部５００では、回転部５０６の回転に伴って回転部５０６の位置が変化する。ノズル部５００では、回転部５０６の回転に伴って回転部５０６が前後方向に移動する。
【００９６】
図２２が示すように、操作部５３０の幅方向中心位置ＲＺは、ノズル部５００の幅方向中心位置に一致している。
【００９７】
回転部５０６の回転により、第１状態Ｃ１と第２状態Ｃ２との相互移行が可能である。第１状態Ｃ１では、把持部５０４に対してスリーブＳＶ１が最も後方に位置している。この第１状態Ｃ１から回転部５０６を回転させると、スリーブＳＶ１が把持部５０４に対して前方に移動する。更に回転部５０６を回転させると、第２状態Ｃ２に至る。第１状態Ｃ１と第２状態Ｃ２との間の状態も任意に選択されうる。回転部５０６の回転により、吐出量の調整も可能である。
【００９８】
このように、ノズル部５００は、回転部５０６の回転に基づき吐出孔を切り替えうる水形切替機構を有する。この水形切替機構は、回転部５０６の回転に伴って水路Ｐ１、Ｐ２の切替を行うように構成されている。この水形切替機構は、回転部５０６の回転を前後方向の移動に変換しうる変換機構を有する。ノズル部５００では、この変換機構として、ラックアンドピニオン機構が採用されている。
【００９９】
回転部５０６の可動回転角は、２２５°である。この可動回転角が実現されるように、ギア比が設定されている。可動回転角が大きい回転部５０６では、小さな力で操作することができ、微妙な調節も容易である。これらの観点から、回転部５０６の可動回転角は、９０°以上が好ましく、１８０°以上がより好ましく、２４０°以上がより好ましい。可動回転角が過大であると、操作に要する作業量が過大となる。この観点から、回転部５０６の可動回転角は、４５０°以下が好ましく、３６０°以下がより好ましく、３００°以下がより好ましい。
【０１００】
回転部５０６の回転半径は、９ｍｍである。この小さな回転半径により、操作する指の移動量が抑制され、片手での操作性が向上する。この観点から、回転部５０６の回転半径は、２０ｍｍ以下が好ましく、１５ｍｍ以下がより好ましく、１０ｍｍ以下がより好ましい。この回転半径が過小であると、回転中心と力の作用点の距離が小さくなり、同じ回転モーメントを付与するのに大きな力が必要となる。回転モーメントを大きくして操作性を高める観点から、回転部５０６の回転半径は、５ｍｍ以上が好ましく、７ｍｍ以上がより好ましい。
【０１０１】
ノズル部５００は、回転部の回転によって移動しない固定部材と、回転部の回転によって移動する移動部材とを有する。
【０１０２】
ノズル部５００において、把持部５０４及び主管部５３２は固定部材であり、回転部５０６及びスリーブＳＶ１は移動部材である（図２７参照）。スリーブＳＶ１は、回転部５０６の回転に伴って移動して水路の切替を行う水路切替部材である。
【０１０３】
ノズル部５００では、回転部の回転軸線が左右方向に配向している。よって、回転部を回転させるための操作は、前後方向への移動である。この操作は、把持部を有する手の親指によって容易に実施されうる。回転部の回転軸線を左右方向とすることで、操作性が向上している。
【０１０４】
なお、回転部の回転軸線の配向方向は限定されない。例えば、回転部の回転軸線が前後方向に配向していてもよい。回転部の回転軸線が前後方向に配向していてもよい。この場合、把持部を持つ手の親指を左右方向に動かす必要があるが、この動きは可能である。
【０１０５】
図２７に示されるように、ノズル部５００では、回転部の位置が当該回転部の回転によって移動する。この場合も、移動距離が少なければ、操作性への影響は限定的である。操作性の観点から、回転部の前後方向における移動可能距離は、２０ｍｍ以下が好ましく、１８ｍｍ以下がより好ましく、１５ｍｍ以下がより好ましい。水路の切替を考慮すると、この移動可能距離は、５ｍｍ以上が好ましく、７ｍｍ以上がより好ましく、１０ｍｍ以上がより好ましい。
【０１０６】
図２７のノズル部５００では、回転部５０６の回転に伴い回転部５０６の位置が移動する。しかし、この移動距離Ｄ１は、当該移動に必要な回転部５０６の回転周長Ｒ１に比べて小さい。回転周長とは、回転部５０６の表面の移動距離である。例えば半径ｒの回転部５０６を３６０°回転させた場合、この回転周長は、半径ｒの円の円周の長さに等しい。
【０１０７】
このように、移動距離Ｄ１は回転周長Ｒ１に比べて小さいので、回転部５０６の移動が抑制され、片手での操作性は良好である。片手での操作性の観点から、Ｄ１／Ｒ１は、０．７以下が好ましく、０．６以下がより好ましく、０．５以下がより好ましい。水路の切替を考慮すると、ある程度のＤ１を確保する必要がある。また回転周長Ｒ１が過大であると、操作の作業量が増大する。これらの観点から、Ｄ１／Ｒ１は、０．１以上が好ましく、０．２以上がより好ましく、０．３以上がより好ましい。
【０１０８】
ノズル部５００では、操作部の幅方向中心位置が、ノズルの幅方向中心位置に一致している（図２２参照）。このため、把持部を持つ手の親指で操作部を操作することが容易である。またこの場合、把持部を右手で持つか左手で持つかに関わらず、親指での操作性が高い。
【０１０９】
上述したノズル部５００では、回転部の一部のみが露出している。ノズル部は、この構成に限定されない。回転部の全部が露出していてもよい。例えば回転部が円盤状とされ、この回転部の回転軸線がノズル本体の中心軸線に直交していてもよい。この場合例えば、円盤状の回転部がノズルの側面に位置する状態でノズルを使用することができる。
【０１１０】
ノズル部５００は、回転部５０６に係合して回転部５０６の回転を抑制する防止する回転係合部５４０を有している（図２５参照）。回転係合部５４０は、回転部５０６に設けられた凹凸係合部５１２と係合して、水圧による回転部５０６の回転を抑制している。ただし、操作性の観点から、回転部５０６を回転させるために要する最小限の力（閾値）は低く設定されている。
【０１１１】
ノズル部５００において、水形切替機構は、吐出量調節機能を有する。片手で吐出量が調整できるため、利便性が高い。一方、ノズル部５００において、水形切替機構は、止水機能（吐止水切替機能）を有していない。代わりに、ノズル部５００は、吐水及び止水を遠隔操作で指示しうる遠隔操作部ＲＣ１を有する。止水と吐水との切替は、遠隔操作部ＲＣ１から無線で指示された元水栓装置ＭＴ１（後述）によって達成される。ノズル側で止水を行わず、元水栓側で止水を行うため、ホースに作用する圧力を低下させることができる。このため、耐圧性の低いホースを利用できるなど、ホースの選択の自由度が高まる。なお、水形切替機構が止水機能を有していてもよい。水形切替機構が吐止水切替機能を有していても良い。
【０１１２】
上述した実施形態では、従来のノズルのように、外周スリーブを回す必要がない。また、操作方向が左右方向ではなく、前後方向である。このため、ホース収容型散水ノズルの把持部を持つ手の親指で容易に操作できる。ノズル部５００では、回転部の軸が両側から支持されている。よって回転部に力を入れても安定した回転動作が可能である。この両側から支持された回転部は、操作性の向上に寄与する。
【０１１３】
上述したノズル部の形状は、全体として略円筒形状である。他のノズル部の形状として、略直方体形状、略楕円柱形状、略Ｕ字形状等が挙げられる。防水の観点から、略円筒形状及び略楕円柱形状が好ましい。シール性を考慮すると、略円筒形状がより好ましい。
【０１１４】
ホース収容型散水ノズルは、屋外でも使用される。この使用では、砂の噛み込み等、異物の混入が生じうる。この観点から、ギア同士が噛み合っている部分（ギア駆動部分）は外部に露出しないのが好ましい。
【０１１５】
［散水装置］
ホース収容型散水ノズルは、更に、元水栓装置ＭＴ１を有していてもよい。ホース収容型散水ノズルと元水栓装置ＭＴ１とで、散水装置が構成されてもよい。
【０１１６】
図２８は、前述したホース収容型散水ノズル１００と元水栓装置ＭＴ１とを有する散水装置９００の一例を示す斜視図である。散水装置９００は、ホース収容型散水ノズル１００と、元水栓装置ＭＴ１と、ホースＨＳ１とを有する。
【０１１７】
元水栓装置ＭＴ１は、ホースＨＳ１の第１端に取り付けられている。ホース収容型散水ノズル１００は、ホースＨＳ１の第２端に取り付けられている。ホースＨＳ１は、ホース収容型散水ノズル１００と元水栓装置ＭＴ１とを繋いでいる。
【０１１８】
散水装置９００は、屋外用である。散水装置９００は、蛇口に接続して用いられる。散水装置９００は、園芸、清掃、洗車、水まき等の用途で用いられる。
【０１１９】
なお、蛇口とは、水道水などの用水を供給する管の出口部分を意味する。蛇口と元水栓装置の連結は、蛇口側と元水栓装置側とがコネクターを用いて連結されたコネクター連結とするのが好ましい。このコネクター連結では、蛇口に第１のコネクターを設けるとともに元水栓装置に第２のコネクターを設けて、これら第１のコネクターと第２のコネクターとが連結された構成が好ましい。また、両コネクターの連結は、両コネクターのうちの一方を他方に押し込むことにより両コネクターが互いに連結された連結状態が実現するのが好ましい。また、これら両コネクターの連結構造は、上記連結状態を保持できる保持機構を有するのが好ましい。上記第１のコネクターは、蛇口と一体で設けられていてもよいし、蛇口とは別体であって当該蛇口に取り外し可能又は取り外し不能に取付られていていてもよい。上記各第２のコネクターは、元水栓装置に一体で設けられていてもよいし、元水栓装置とは別体であって当該元水栓装置に取り外し可能又は取り外し不能に取付られていていてもよい。なお、上記コネクター連結の他に、雄ねじと雌ねじとのネジ結合による連結、ボルト・ナット等での固定による連結、固定バンドで締め付けての連結、なども使用できるが、上述のコネクター連結とするのが最も好ましい構成である。
【０１２０】
散水装置９００において、ホース収容型散水ノズル１００は１つであり、元水栓装置ＭＴ１も１つであり、ホースＨＳ１も１つである。散水装置９００では、ホース収容型散水ノズル１００と元水栓装置ＭＴ１とが１体１で対応している。１つの元水栓装置ＭＴ１に対して、ホース収容型散水ノズル１００が複数であってもよい。この場合、ホースＨＳ１が複数であるのが好ましい。
【０１２１】
元水栓装置ＭＴ１は、蛇口に接続される。蛇口から供給された水は、元水栓装置ＭＴ１及びホースＨＳ１を経由して、ホース収容型散水ノズル１００に至る。水は、ホース収容型散水ノズル１００のノズル部５００から吐出される。
【０１２２】
ノズル部５００は、遠隔操作部ＲＣ１を有する。遠隔操作部ＲＣ１は、元水栓装置ＭＴ１における吐水と止水との切替を操作しうる。図２１等が示すように、遠隔操作部ＲＣ１は、吐水を指示するための第１ボタンｂ１と、止水を指示するための第２ボタンｂ２とを有している。ボタン式の遠隔操作部ＲＣ１は、吐水と止水との切り換えが容易であるため好ましい。
【０１２３】
元水栓装置ＭＴ１は、吐止水切替部を有する。後述の通り、この吐止水切替部水は、電磁弁を有している。この吐止水切替部は、遠隔操作によって止水と吐水との切替を行う。散水装置９００では、元水栓装置ＭＴ１において、吐水と止水との切替が可能である。
【０１２４】
好ましくは、元水栓装置ＭＴ１は、電源を有する。この電源からの電力は、前記吐止水切替部に供給される。好ましくは、遠隔操作部ＲＣ１は、電源を有する。好ましくは、ホース収容型散水ノズル１００は、遠隔操作部ＲＣ１のための電源を有する。より好ましくは、ノズル部５００は、遠隔操作部ＲＣ１のための電源を有する。電源の一例は、電池である。電池として、化学電池及び物理電池が例示される。化学電池として、一次電池及び二次電池が例示される。一次電池として、乾電池、リチウム電池及びボタン電池が例示される。二次電池として、ニカド電池、ニッケル水素電池及びリチウムイオン電池が例示される。物理電池として、太陽電池が例示される。散水装置は屋外で利用されるため、太陽光発電に適している。一方、屋外では、汚れや水ぬれが問題となる。この点において、太陽電池では、電池交換のための開閉部が不要であるから、継ぎ目の無い仕様（完全防水仕様）とすることが容易である点で好ましい。
【０１２５】
遠隔操作部ＲＣ１は、遠隔操作によって前記吐止水切替部を操作する。ホース収容型散水ノズル１００では、遠隔操作部ＲＣ１はノズル部５００に内蔵（固定）されている。この場合、遠隔操作部ＲＣ１の固定が確実となり、遠隔操作部の操作性が高まる。また、遠隔操作部ＲＣ１への防水性を高めることが容易となる。
【０１２６】
遠隔操作部ＲＣ１による遠隔操作は、有線式であってもよいし、無線式であってもよい。有線式の遠隔操作では、例えば、電線が用いられる。この場合、電線は、遠隔操作部と吐止水切替部と繋ぐように設けられる。他の実施形態として、例えばワイヤを用いた機械的な遠隔操作が挙げられる。
【０１２７】
無線操作のための信号として、超音波及び電磁波が例示される。電磁波として、電波及び赤外線が例示される。
【０１２８】
好ましくは、遠隔操作部ＲＣ１は、無線式で元水栓装置ＭＴ１の吐止水切替部を操作する。好ましくは、吐止水切替部は遠隔操作部ＲＣ１によって無線式で操作される。
【０１２９】
図２９は、無線式が採用される場合の構成の一例を示すブロック図である。散水装置９００でも、この図２９の構成が採用されている。
【０１３０】
遠隔操作部ＲＣ１は、送信部１００２と、指示部１００４とを有する。一方、元水栓装置ＭＴ１に設けられている吐止水切替部１００６は、受信部１００８と、制御部１０１０と、開閉弁１０１２とを有する。
【０１３１】
遠隔操作部ＲＣ１の第１ボタンｂ１が押されると、送信部１００２が、元水栓装置ＭＴ１を吐水状態とするための信号（吐水指示信号）を送信する。この吐水指示信号を受信した元水栓装置ＭＴ１は吐水状態に切り替わる。この吐水指示信号は、無線通信によって伝達される。第２ボタンｂ２が押されると、送信部１００２が、元水栓装置ＭＴ１を止水状態とするための信号（止水指示信号）を送信する。この止水指示信号を受信した元水栓装置ＭＴ１は、止水状態に切り替わる。この止水指示信号は、無線通信によって伝達される。遠隔操作部ＲＣ１の構成は、公知の無線式のリモコン（リモートコントローラー）と同様である。
【０１３２】
元水栓装置ＭＴ１の吐止水切替部１００６は、送信部１００２からの信号を受信する受信部１００８と、開閉弁１０１２と、この開閉弁１０１２を制御しうる制御部１０１０とを有している。この受信部１００８は、遠隔操作部ＲＣ１の送信部１００２から、上述の吐水指示信号及び止水指示信号を受信する。受信部１００８が吐水指示信号を受信すると、制御部１０１０が開閉弁１０１２を開ける。受信部１００８が止水指示信号を受信すると、制御部１０１０が開閉弁１０１２を閉じる。このように、開閉弁１０１２は、遠隔操作部ＲＣ１からの指示によって開閉する。
【０１３３】
本実施形態では、開閉弁１０１２が電磁弁である。電磁弁は、電気的駆動弁の一種でありる。この電磁弁では、電磁石（ソレノイド）の磁力を用いてプランジャーと呼ばれる鉄片を動かし、弁を開閉する。この電磁弁が閉じることで、止水が達成される。この電磁弁が開くことで、吐水が達成される。公知の電磁弁が用いられる。
【０１３４】
ホースＨＳ１の種類として、単層ホース、二層ホース等の複数層ホース、糸入りホース、コイル入りホース、フレキシブルホース、折りたたみホース、偏平ホース等、あらゆる種類のホースが用いられ得る。また、蛇腹管等の弾性管も、ホースＨＳ１として用いられうる。伸縮式ホースが用いられても良い。
【０１３５】
単層ホースの材質は、ポリ塩化ビニル樹脂、シリコーン樹脂、ポリエチレン樹脂、ゴム等である。構造が単純で製造コストは低い。しかし、耐圧性は低く、高水圧時の変形は大きい。
【０１３６】
糸入りホースは、繊維によって補強されたホースである。この糸入りホースは、高水圧時の変形が小さく、耐圧性に優れる。コイルホースは、コイルによって補強されたホースである。コイルの材質は、樹脂、金属等である。このコイルホースは、高圧時の変形が小さく、耐圧性に優れる。
【０１３７】
折りたたみホースは、折りたたみが可能なホースである。この折りたたみホースは、水を通さない時には平らに潰れる。典型的な折りたたみホースは布製であり、布の内側が非通水層でコーティングされている。なお、折りたたみホースは、消防用ホースとしても知られている。
【０１３８】
図３０（ａ）から（ｄ）は、折りたたみホース１１００を示す断面図である。この折りたたみホース１１００の材質は布であり、この布の内面に非通水層が形成されている。非通水層の材質として、ゴム及び樹脂が例示される。水圧が低い場合、折りたたみホース１１００は、図３０（ａ）のようにほぼ平らになる。水圧が高い場合、折りたたみホース１１００の断面構造は図３０（ｃ）のように円形となる。水圧によって、折りたたみホース１１００の断面形状は、図３０（ａ）から（ｄ）ような形態をとる。
【０１３９】
この折りたたみホース１１００は、ホース断面の半分を構成する第１部分１１０２と、ホース断面の残りの半分を構成する第２部分１１０４とを有する。折りたたみホース１１００の幅方向における両端部には、第１部分１１０２と第２部分１１０４とを重ねた重なり部１１０６が設けられている。これらの重なり部１１０６により、折りたたみホース１１００は、非通水時に平らになりやすい。
【０１４０】
このように、折りたたみホース１１００は、その幅方向両端部に、非通水時における断面形状が、通水時（例えば水圧が０．３ＭＰａである時）よりも平らになるように構成されている。本実施形態の折りたたみホース１１００では、重なり部１１０６が採用されているが、これに代えて例えば、折り目が採用されてもよい。公知の消防用ホースの構造が、本願の折りたたみホースにも採用されうる。
【０１４１】
以上に記載の通り、好ましい折りたたみホースは、次のような特徴を有する。なおＡ１は、非通水時における内部断面積である。
（１）非通水時には、ホースの内部断面積Ａ１がゼロである状態で平らにすることができる。
（２）幅方向両端部に、平らになることを促進する偏平促進部を有する。上述した重なり部１１０６や折り目は、この偏平促進部の例である。
【０１４２】
折りたたみホースではない保形ホースにおいても、偏平な断面形状が採用されうる。水圧下でも偏平な形状が維持されるホースが、本願において偏平ホースと称される。偏平な断面形状は、収納性の向上に寄与する。図３１（ａ）から（ｄ）は、保形ホースの断面形状の例示である。図３１（ａ）のホース１１１０は通常の円形断面のホースである。図３１（ｂ）から（ｄ）は偏平ホースの断面である。偏平ホースでは、水圧が０．３ＭＰａの状態の断面形状において、幅よりも高さが小さい。図３１（ｂ）のホース１１１２では、３つの水路が設けられている。図３１（ｃ）のホース１１１４では、２つの水路が設けられている。複数の水路を設けることで、偏平な断面形状において水路の断面積を拡大することができる。図３１（ｄ）のホース１１１６では、水路の断面形状も偏平とされている。これも、偏平な断面形状において水路の断面積を拡大する構成の一例である。
【０１４３】
ホースＨＳ１は、伸縮式ホースであってもよい。本願において伸縮式ホースとは、０．３ＭＰａの水圧が作用すると長手方向の長さが１．５倍以上に伸びるホースを意味する。即ち、非通水時における長手方向長さがＨＬ１とされ、０．３ＭＰａの水圧が作用した状態での長手方向長さがＨＬ２とされるとき、ＨＬ２／ＨＬ１が１．５以上のホースが、伸縮式ホースと定義される。ＨＬ２／ＨＬ１は、好ましくは２以上、より好ましくは、２．５以上、更に好ましくは３以上である。ＨＬ２／ＨＬ１は、通常、８以下、更には６以下である。
【０１４４】
この伸縮性ホースは、２重チューブ構造を有している。より詳細には、この伸縮性ホースは、弾性材料で形成されている内側チューブと、この内側チューブよりも伸縮性が低い外側チューブとを有する。内側チューブと外側チューブとは、両端部でのみ互いに固定されている。両端部以外では、内側チューブと外側チューブとは互いに固定されていない。換言すれば、両端部以外において、内側チューブと外側チューブとは互いに自由である。チューブ構造は、３重またはそれ以上であってもよい。
【０１４５】
この伸縮性ホースにおいて、外側チューブの好ましい材質は、布である。この布の材質は、例えば、ナイロン、ポリエステル及びポリプロピレンからなる群から選択される１以上である。好ましくは、この布は織物である。内側チューブの材質は、例えば、天然ラテックスゴムである。この伸縮性ホースは、水圧が加わると自動的に長手方向に伸び、水圧が無くなると自動的に長手方向に縮む。
【０１４６】
外側チューブは、しなやかである。また、外側チューブは、伸張状態にあるときの内側チューブの膨張及び伸びを許容するサイズを有している。よって、水圧がゼロの収縮状態において、外側チューブは弛んだ状態にある。収縮状態において、外側チューブは、多数の皺を有した状態となる。一方、内側チューブは、高い弾性を有している。内側チューブは、水圧ゼロの状態では太さ方向に収縮し、且つ長手方向に延びる。内側チューブは、水圧が作用すると、太さ方向に膨張し且つ長手方向に伸びる。特に、長手方向の伸び率は顕著である。水圧が上がるにつれて、当該膨張及び伸びが大きくなるが、これらの膨張及び伸びは、外側チューブのサイズによって制約される。よって、ＨＬ２／ＨＬ１の上限は、外側チューブの最大長さによって規制することができる。このような伸縮性ホースの例は、特許第５５４１８２５号及び特許第５３９９５９５号に記載されている。
【０１４７】
元水栓装置において止水が可能な散水装置９００では、ホースを非耐圧仕様とすることができる。例えば、ホースが破損しうる最小水圧を０．７ＭＰａ以下とすることができる。耐圧性が低いホースが許容されることで、ホースを軽量とすることができ、ホースの柔軟性を高めることができる。
【０１４８】
ホースの内部には中空部が形成され、この中空部を水が通る。ホースの内部断面積とは、この中空部の断面積である。水圧が高くなると、ホースが膨らみ、この内部断面積が大きくなる。
【０１４９】
非通水時における内部断面積がＡ１とされ、水圧が０．３ＭＰａであるときの内部断面積がＡ２とされる。比（Ａ２／Ａ１）が大きい場合、接続部におけるホースの外れが生じやすい。なぜなら、ホースの膨張変形により、ホースと他部材との接続が外れやすくなるためである。よって、Ａ２／Ａ１が大きく膨張しやすい場合、ホースへの水圧を抑制しうる本散水装置が、ホース外れ抑制の観点から有効である。これらの観点から、Ａ２／Ａ１は、１以上が好ましく、１．１以上がより好ましく、１．２以上がより好ましく、３以上が更に好ましい。ホースの耐久性を考慮すると、Ａ２／Ａ１は、５０以下が好ましく、４０以下がより好ましく、３０以下が更に好ましい。このホースの内部断面積の変化率の測定において、ホースの温度は２０度に設定される。
【０１５０】
散水時の圧力損失を抑制し、散水量を確保する観点から、ホースの内部断面積Ａ１は、１９．６ｍｍ２以上が好ましく、３８．５ｍｍ２以上がより好ましく、６３．６ｍｍ２以上がより好ましい。ホースの取り回し性を向上させ、散水装置を小型化する観点から、ホースの内部断面積Ａ１は、７０７ｍｍ２以下が好ましく、４９１ｍｍ２以下がより好ましく、２５４ｍｍ２以下がより好ましく、１７７ｍｍ２以下がより好ましい。
【０１５１】
非通水時におけるホースＨＳ１の長手方向長さがＨＬ１とされ、０．３ＭＰａの水圧が作用した状態での当該長手方向長さがＨＬ２とされるとき、ホースの長さ変化率は、上述のＨＬ２／ＨＬ１である。ＨＬ２／ＨＬ１が大きい場合、上述した接続部の外れのうち、特にホースの外れが生じやすい。なぜなら、ホースの伸び変形により、ホースと他部材との接続が外れやすくなるためである。よって、ＨＬ２／ＨＬ１が大きく伸びやすい場合、ホースへの水圧を抑制しうる本散水装置が、ホース外れ抑制の観点から有効である。この観点から、ＨＬ２／ＨＬ１は、１．０以上が好ましく、１．１以上がより好ましく、１．５以上がより好ましく、２．０以上が更に好ましい。ホースの耐久性を考慮すると、ＨＬ２／ＨＬ１は、５．０以下、更には４．０以下が好ましい。ただし、この上限値に関して、上述の伸縮性ホースは例外である。長さＨＬ１及び長さＨＬ２の測定において、ホースの温度は２０度に設定される。
【０１５２】
元水栓装置で止水する本散水装置では、ホースの選択の自由度が高い。よって、Ａ２／Ａ１、ＨＬ２／ＨＬ１、曲げ剛性等の選択の自由度も高い。上述の理由に基づき、Ａ２／Ａ１、ＨＬ２／ＨＬ１、曲げ剛性等を適切に設定することができる。
【０１５３】
屋外での散水における利便性の観点から、非通水時におけるホースの長手方向長さＨＬ１は、５ｍ以上が好ましく、７ｍ以上がより好ましく、１０ｍ以上が更に好ましい。元水栓装置で止水することで、ホースへの負荷が低減される。よって、ホースの選択の自由度が高まる。例えば非耐圧性のホースを採用することができ、軽いホースを採用することができる。ホースが長いほど、ホースの全体重量は大きくなり、ホース軽量化の効果が高まる。この観点からも、ホースの長手方向長さＨＬ１は、５ｍ以上が好ましい。散水装置の小型化及び取り扱い性の観点から、ホースの長手方向長さＨＬ１は、１００ｍ以下が好ましく、８０ｍ以下がより好ましく、５０ｍ以下が更に好ましい。
【０１５４】
上述の通り、元水栓装置で止水することで、ホースへの負荷が低減される。よって、非耐圧性のホースを採用することができ、軽いホースを採用することができる。この観点から、長さ１ｍ当たりのホースの重量は、０．２ｋｇ／ｍ以下が好ましく、０．１ｋｇ／ｍ以下がより好ましく、０．０５ｋｇ／ｍ以下が更に好ましい。強度を考慮すると、このホース重量は、０．０１ｋｇ／ｍ以上が好ましく、０．０２ｋｇ／ｍ以上がより好ましい。この重量の測定において、ホースの温度は２０度とされる。この重量は、ホース内に水が無い状態で測定される。小型化されたホース収容型散水ノズルと軽いホースとの組み合わせにより、操作性が向上する。
【０１５５】
図３２は、ホース収容型散水ノズル１００の使用状態の一例を示す。使用者Ｈｍは、片手のみでホース収容型散水ノズル１００を把持している。ホース収容型散水ノズル１００は、片手で容易に把持することができる。ホース収容型散水ノズル１００は、ノズル部５００のみを支持してぶら下げることができる。ホース収容型散水ノズル１００は、吐水中心線を水平とした状態において、ノズル部の鉛直方向下方にホース収容部１１０（ホースリール１１０）が位置する姿勢を採ることができる。
【０１５６】
ホース収容型散水ノズル１００は、重心Ｇを有している。重心Ｇは、ホース収容型散水ノズル１００のみの重心であり、ホースＨＳ１の重量とは無関係である。重心Ｇは、前記基準状態で測定される。なお、ホース収容型散水ノズル１００が可動部を有することにより重心の位置が変化する場合、当該重心の位置が前記吐水中心線に最も近くなるように、当該可動部が設定される。例えば、図４が示すように、ホースリール１１０がハンドル１１４を有する場合、このハンドル１１４が最も上側に位置する状態で、前記重心Ｇが決定される。
【０１５７】
このホース収容型散水ノズル１００は、次の要件Ａを満たす。
［要件Ａ］：前記吐水中心線を水平とした状態において、ホース収容型散水ノズルは、ノズル部の鉛直方向下方に重心Ｇが位置する姿勢（以下、姿勢Ａともいう）を採ることができる。
【０１５８】
この要件Ａを満たすことにより、ホース収容型散水ノズル１００は、吐水中心線を水平にし、且つ重心Ｇをノズル部の鉛直方向下方に位置した状態で、持つことができる。よって、安定した状態で水平な吐水が可能である。
【０１５９】
なお、「ノズル部の鉛直方向下方」とは、ノズル部のどの位置の下側であってもよいことを意味する。
【０１６０】
また、要件Ａの文言から明らかな通り、姿勢Ａにおいては、吐水中心線ＷＣが水平であればよい。よって、姿勢Ａにおいては、回転部の回転軸線Ｚ１（図２参照）が水平でなくてもよい。姿勢Ａにおいては、ホースリールの回転軸線Ｚ２が水平でなくてもよい。
【０１６１】
この要件Ａを満たすホース収容型散水ノズルは、片手で安定的に把持することができる。また、ホース収容型散水ノズル１００を把持する片手で、ノズル部５００を操作して水形を変えることは容易である。
【０１６２】
前述のホース収容型散水ノズル３００も、この要件Ａを満たしている。このホース収容型散水ノズル３００も、片手での操作性に優れる。
【０１６３】
更に、ホース収容型散水ノズル１００は、次の要件Ｂを満たす。
［要件Ｂ］：前記基準姿勢において、ホース収容型散水ノズルは、ノズル部の鉛直方向下方に重心Ｇが位置する。
【０１６４】
この要件Ｂを満たすホース収容型散水ノズル１００では、片手での安定性が更に向上しうる。
【０１６５】
前述のホース収容型散水ノズル３００も、この要件Ｂを満たしている。このホース収容型散水ノズル３００も、片手での操作性に優れる。
【０１６６】
ホース収容型散水ノズル１００は、次の要件Ｃを満たす。
［要件Ｃ］：前記姿勢Ａにおいて、ホース収容部１１０がノズル部５００の下側に位置する。
【０１６７】
この要件Ｃにより、ホース収容部１１０にホースＨＳ１が巻かれた状態においても、片手での安定性が維持される。なお、要件Ｃは、ホース収容部１１０の少なくとも一部がノズル部５００の下側に位置すればよいとの趣旨である。
【０１６８】
好ましくは、ホース収容型散水ノズル１００は、次の要件Ｄを満たす。
［要件Ｄ］：把持部１５０の外面上の任意の一点（点Ｐとする）に糸を固定してホース収容型散水ノズル１００をぶら下げたぶら下げ状態において、前記吐水中心線が水平となるような点Ｐ（点Ｐｘとする）が存在する。
【０１６９】
なお、上記ぶら下げ状態において、点Ｐｘは重心Ｇの真上にある。換言すれば、上記ぶら下げ状態において、点Ｐｘを通る鉛直線は、重心Ｇを通る。
【０１７０】
上記要件Ｄを満たす場合において、要件Ｄ１、要件Ｄ２Ａ、要件Ｄ２Ｂ、要件Ｄ２Ｃ、要件Ｄ３Ａ、要件Ｄ３Ｂ又は要件Ｄ３Ｃを満たしていても良い。なお、点Ｐｘが複数存在する場合、少なくとも１つの点Ｐｘにおいて、要件Ｄ１、要件Ｄ２Ａ、要件Ｄ２Ｂ、要件Ｄ２Ｃ、要件Ｄ３Ａ、要件Ｄ３Ｂ又は要件Ｄ３Ｃが満たされていれば良い。
【０１７１】
［要件Ｄ１］：点Ｐｘと重心Ｇとを通る直線は、ノズル部を通過する（に交わる）。
［要件Ｄ２Ａ］：点Ｐｘと重心Ｇとを通る直線は、把持部１５０の円筒外面を通過する（に交わる）。
［要件Ｄ２Ｂ］：点Ｐｘと重心Ｇとを通る直線が把持部１５０の円筒外面と交わる点と、把持部１５０の円筒外面の前後方向長さにおける中心点との前後方向距離がＫ１とされ、把持部１５０の円筒外面の前後方向長さがＫ２とされるとき、Ｋ１／Ｋ２が１／４以下である（図４参照）。
［要件Ｄ２Ｃ］：点Ｐｘと重心Ｇとを通る直線が把持部１５０の円筒外面と交わる点と、把持部１５０の円筒外面の前後方向長さにおける中心点との前後方向距離がＫ１とされ、把持部１５０の円筒外面の前後方向長さがＫ２とされるとき、Ｋ１／Ｋ２が１／８以下である（図４参照）。
［要件Ｄ３Ａ］：点Ｐｘと重心Ｇとを通る直線は、仮想円筒収容部５２２を通過する（に交わる）。
［要件Ｄ３Ｂ］：点Ｐｘと重心Ｇとを通る直線が把持部１５０の仮想円筒収容部と交わる点と、当該仮想円筒収容部の前後方向長さにおける中心点との前後方向距離がＫ３とされ、当該仮想円筒収容部の前後方向長さがＫ４とされるとき、Ｋ３／Ｋ４が１／４以下である（図４参照）。
［要件Ｄ３Ｃ］：点Ｐｘと重心Ｇとを通る直線が把持部１５０の仮想円筒収容部と交わる点と、当該仮想円筒収容部の前後方向長さにおける中心点との前後方向距離がＫ３とされ、当該仮想円筒収容部の前後方向長さがＫ４とされるとき、Ｋ３／Ｋ４が１／８以下である（図４参照）。
【０１７２】
図２、図３及び図６において一点鎖線で示されるのは、ホースリール１１０（ドラム１１２）の回転軸線Ｚ２である。図２が示すように、回転軸線Ｚ２は、吐水中心線ＷＣに対して平行ではない。回転軸線Ｚ２は、吐水中心線ＷＣに対して垂直である。使用者Ｈｍは通常、吐水中心線ＷＣを進行方向に向けて歩く（図３２参照）。回転軸線Ｚ２が吐水中心線ＷＣに対して垂直であるため、使用者Ｈｍの移動に伴って、ホースＨＳ１がホースリール１１０から容易に引き出されうる。このホース収容型散水ノズル１００は取り回し性に優れる。ホース収容型散水ノズル３００も同様の利点を有する。
【０１７３】
ホース収容型散水ノズル２００（図８等）においては、回転軸線Ｚ２は、吐水中心線ＷＣに対して平行である。このホース収容型散水ノズル２００では、回転軸線Ｚ２が吐水中心線ＷＣに一致している。この構成により、全体として細い形態が実現されている。この細い形態により、収納性及び持ち運び性が向上している。このホース収容型散水ノズル２００は、全幅Ｗ１及び全高Ｗ３が小さい。このホース収容型散水ノズル２００の構成では、例えば、全幅Ｗ１を１００ｍｍ以下とすることができる。このホース収容型散水ノズル２００の構成では、例えば、全高Ｗ３を１３０ｍｍ以下とすることができる。
【０１７４】
ホース収容型散水ノズル１００では、前述した回転軸線Ｚ１が、この回転軸線Ｚ２に対して平行である。このため、ホースＨＳ１に引き出しが容易であり、且つ回転部の操作も容易とされている。この点は、ホース収容型散水ノズル３００も同様である。
【０１７５】
上述した散水ノズル１００，２００，３００では、ノズル部が接続部に対して着脱可能である。このため、ノズル部とホースとを直結して使用することもできる。例えば、ホースの全てをホースリールから引き出した上で、ホース端部をホースリールから取り外し、このホース端部をノズル部に直結することができる。この直結状態では、ホースリール（ホース収容部）が取り外されているため、より軽量且つコンパクトな状態で、ノズル部５００を散水ノズルとして使用することができる。
【０１７６】
本願には、独立形式請求項に係る発明とは異なる他の発明も記載されている。本願の請求項及び実施形態に記載されたそれぞれの形態、部材、構成及びそれらの組み合わせは、それぞれが有する作用効果に基づく発明として認識される。
【０１７７】
上記各実施形態で示されたそれぞれの形態、部材、構成等は、これら実施形態の全ての形態、部材又は構成をそなえなくても、個々に、本願請求項に係る発明をはじめとした、本願記載の全発明に適用されうる。
【産業上の利用可能性】
【０１７８】
以上説明された散水装置は、園芸、清掃、洗車など、あらゆる用途に用いられ得る。
【符号の説明】
【０１７９】
１００、２００、３００・・・ホース収容型散水ノズル
１１０、２１０、３１０・・・ホースリール（ホース収容部）
１３０、３３０・・・接続部
１５０、２５０、３５０・・・ホース収容型散水ノズルの把持部
５００・・・ノズル部
５０２・・・吐出部
５０４・・・ノズル部の把持部
５０６・・・回転部
５１０・・・吐水スクリーン
５２０・・・円筒外面
５３０・・・操作部
ＷＣ・・・吐水中心線
ＲＣ１・・・遠隔操作部
９００・・・散水装置
Ｇ・・・ホース収容型散水ノズルの重心
ＭＴ１・・・元水栓装置
【図１】
2018012055.tif 000003
【図２】
2018012055.tif 000004
【図３】
2018012055.tif 000005
【図４】
2018012055.tif 000006
【図５】
2018012055.tif 000007
【図６】
2018012055.tif 000008
【図７】
2018012055.tif 000009
【図８】
2018012055.tif 000010
【図９】
2018012055.tif 000011
【図１０】
2018012055.tif 000012
【図１１】
2018012055.tif 000013
【図１２】
2018012055.tif 000014
【図１３】
2018012055.tif 000015
【図１４】
2018012055.tif 000016
【図１５】
2018012055.tif 000017
【図１６】
2018012055.tif 000018
【図１７】
2018012055.tif 000019
【図１８】
2018012055.tif 000020
【図１９】
2018012055.tif 000021
【図２０】
2018012055.tif 000022
【図２１】
2018012055.tif 000023
【図２２】
2018012055.tif 000024
【図２３】
2018012055.tif 000025
【図２４】
2018012055.tif 000026
【図２５】
2018012055.tif 000027
【図２６】
2018012055.tif 000028
【図２７】
2018012055.tif 000029
【図２８】
2018012055.tif 000030
【図２９】
2018012055.tif 000031
【図３０】
2018012055.tif 000032
【図３１】
2018012055.tif 000033
【図３２】
2018012055.tif 000034